(57)【要約】【課題】周囲に雌実のみを設けた木質パネルを別部材である実結合部材を用いて接合するときの作業性を良好とし、かつ、接合後の接合強度も強固なものとする。【解決手段】交差する辺に雌実１４を設けた２枚以上の木質パネル１０を実結合部材２０で接合する。実結合部材２０は第１嵌め込み部２１とそれに交差する第２嵌め込み部２２とを有し、隣接する少なくとも２枚の木質パネル１０Ａ、１０Ｂの双方の交差する２辺の雌実１４ａ、１４ｂに同時に嵌り合う。得られる床材ユニットは従来のものと比較して剛性の高いものとなる。【選択図】  図１
2005023557.tif 000002
【特許請求の範囲】
【請求項１】
少なくとも交差する２辺に雌実を設けた２枚以上の木質パネルと、第１嵌め込み部とそれに交差する第２嵌め込み部とを有し隣接する少なくとも２枚の木質パネルの双方の前記交差する２辺の雌実に同時に嵌り合って双方の木質パネルを接合する１個以上の実接合部材とからなることを特徴とする床材ユニット。
【請求項２】
請求項１の床材ユニットを構成する実接合部材であって、一本の第１嵌め込み部とその頂部に位置する第２嵌め込み部とからなり、全体がＴ字状をなすことを特徴とする実接合部材。
【請求項３】
請求項１の床材ユニットを構成する実接合部材であって、一本の第１嵌め込み部とそれに交差する互いに平行な２本以上の第２嵌め込み部とからなることを特徴とする実接合部材。
【請求項４】
第２嵌め込み部は第１嵌め込み部の一方の側にのみ形成されていることを特徴とする請求項３に記載の実接合部材。
【請求項５】
第２嵌め込み部は第１嵌め込み部の双方の側に形成されていることを特徴とする請求項３に記載の実接合部材。
【請求項６】
請求項１に記載の床材ユニットで構成される木質床。
【発明の詳細な説明】
【０００１】
【発明の属する技術分野】
本発明はコンクリートスラブあるいはその上に貼り付けた捨て張り合板などの床下地面に木質床を形成するための床材ユニットと、それを用いて形成される木質床に関する。
【０００２】
【従来の技術】
木質床材のような木質パネルをコンクリートスラブ等の床下地材に貼り付けて木質床を形成することは知られている。通常、４周に雄実および雌実を形成した方形の化粧板（木質パネル）を用意し、該木質パネルをその雄実および雌実を相互に嵌め合わせながら、所要の広さにわたって敷き詰める。この方法は、木質パネルに雄実と雌実の双方を加工する必要があり、また、雄実の分だけ原材料である木質材の歩留りの低下を招くことから、木質パネルに雌実（切り込み凹溝）のみを加工し、隣接する木質パネル同士の接合を双方の雌実に差し込まれる別実部材（やとい実など）を用いて行うことも提案されている（特許文献１、特許文献２）。
【０００３】
【特許文献１】
実開昭５９−５１９３９号公報
【特許文献２】
特開平５−２４８０７４号公報
【０００４】
【発明が解決しようとする課題】
上記特許文献１、２に記載される接続態様では、隣接する床パネルの対向する各辺ごとに、それぞれ別実部材を挿入して接合するようにしており、床パネルの交差する２辺あるいは３辺にそれぞれ別の床パネルを接続する場合、各辺ごとに別実部材を取り付けることが必要となり、接続作業に手間がかかっている。また、複数枚の床パネルを接続してパネルユニットとした場合、交差する２辺あるいは３辺はそれぞれ独立した実部材により接合されているために、方向によっては接合強度が弱くなる問題もあった。
【０００５】
本発明は、上記のような事情に鑑みなされたものであり、周囲に雌実のみを設けた床パネルを別実部材を用いて接合するときの作業性を良好とし、かつ、接合後の接合強度も強固なものとすることのできる、改良された床材ユニットとそれで構築される木質床を提供することを目的とする。
【０００６】
【課題を解決するための手段】
本発明による床材ユニットは、少なくとも交差する２辺に雌実を設けた２枚以上の木質パネルと、第１嵌め込み部とそれに交差する第２嵌め込み部とを有し隣接する少なくとも２枚の木質パネルの双方の前記交差する２辺の雌実に同時に嵌り合って隣接する木質パネルを接合する１個以上の実接合部材とで構成されることを特徴とする。
【０００７】
本発明による床材ユニットでは、隣接する木質パネル同士は、対向して位置する２つの辺とその辺に交差する方向で一直線状にある２つの辺の少なくとも４つの辺が、同じ１つの実接合部材により同時に連結された状態となる。すなわち、１つの実接合部材により少なくとも４つの辺を同時に接合することができ、接合作業がきわめて容易化すると共に、高い接合強度が得られる。また、床材ユニット全体としての剛性も向上する。
【０００８】
１つの床材ユニットの広さに特に制限はなく、施工面積が狭い場合には、全体を１つのユニットとして構築して木質床としてもよい。複数個の床材ユニットを成形し、それを施工現場で寄せ集めて１つの木質床としてもよい。その場合、各床材ユニット同士の接合は、本発明にいう「実接合部材」を用いる方法で行ってもよく、他の接合手段によってもよい。各床材ユニットの裏面に単一の緩衝シートを貼り付けるようにしてもよい。
【０００９】
本発明において木質パネルの形状は、少なくとも交差する２辺に雌実加工がなされていることを条件に任意である。好ましくは、平面視で正方形状あるいは長方形状である。この場合には、実接合部材を構成する前記第１嵌め込み部と第２嵌め込み部とは互いに直交したものとなる。平面視平行四辺形であってもよく、この場合には前記第１嵌め込み部と第２嵌め込み部とは当該木質パネルの２辺の交差角度と同じ角度で交差したものとなる。木質パネルの素材は、合板やＭＤＦのような木質繊維板など、従来の床パネルで使用されてきた材料であってよく、それらの複合材料でもよい。裏面に不織布のような緩衝材が貼り合わせてあってもよい。
【００１０】
実結合部材の全体形状は、接合しようとする木質パネルの枚数や配置に応じて、適宜なものとすればよい。例えば、一本の第１嵌め込み部とその頂部に位置する第２嵌め込み部とからなり、全体がＴ字状をなすような実接合部材を用いることにより、隣接する２枚の木質パネルを安定して接合することができる。この形状の実接合部材を順次用いて上下左右方向に複数枚の木質パネルを連続的に接合していくことにより、任意の大きさの床材ユニットができあがる。
【００１１】
一本の第１嵌め込み部とそれに交差する互いに平行な２本以上の第２嵌め込み部からなる実接合部材であってもよい。この場合には、一枚の木質パネルの３辺に形成した雌実に実接合部材を嵌め込んだ状態で、複数枚の木質パネルを安定して接合することができる。第２嵌め込み部は第１嵌め込み部の一方側にのみ形成してもよく、双方側に形成してもよい。後者の場合には、１つの実接合部材でもって、前者の場合よりも多くの枚数の木質パネルを容易にかつ安定して接合することができる。
【００１２】
本発明において、実接合部材は、所要の強度を備えることを条件に、樹脂材料、金属材料、木材、ＭＤＦのような木質繊維材など、任意の材料で作ることができる。全体が一体の成形品であってもよく、複数の部品を寄せ集め一体化し１つの実接合部材としてもよい。後者の場合には、端材などあまった材料を有効に利用できる。例えば、木質繊維板から木質パネルを切り出し、その端材を適宜の寸法に成形加工してエポキシ樹脂のような接着剤で貼り合わせて実接合部材としてもよい。
【００１３】
いずれの場合も、実接合部材を構成する第１嵌め込み部と第２嵌め込み部の厚さと幅は、接合しようとする木質パネルに形成される雌実の形状に応じて、そこに嵌め込み可能な大きさとして設定される。緻密に嵌合できる大きさとすることにより、接着剤を用いることなく、木質パネルの安定した接合が可能となる。実接合部材を木質繊維板のように吸湿による寸法変化の大きな材料で作る場合に、わずかに隙間ができる大きさとしておいてもよい。実接合部材の膨張は隙間部分で吸収され、木質パネル側に影響を与えないので、木質パネルの接合部に膨れが生じるのを効果的に抑止できるメリットがある。
【００１４】
【発明の実施の形態】
以下、図面を参照して、本発明の実施の形態を説明する。図１は本発明による床材ユニット３０を構成する木質パネル１０と実接合部材２０の一例を示す。図２ａは３枚の木質パネル１０を１つの実接合部材２０で接合した床材ユニット３０を示す平面図であり、図２ｂは図２ａのｂ−ｂ線での断面図である。
【００１５】
木質パネル１０は、この例では、一辺Ｓが３０ｃｍ程度の平面視正方形であり、図２ｂに示すように、合板基材１１の表面に突板のような化粧材１２が、また、裏面に不織布のような緩衝シート１３が貼り付けてある。４周の４辺には水平方向に、深さａであり溝幅ｂである雌実１４が加工されている。
【００１６】
実接合部材２０は、この例において、略Ｔ字状のものであり、長さの長い第１嵌め込み部２１とその先端に直交して位置する比較して長さの短い第２嵌め込み部２２とからなる。第１嵌め込み部２１と第２嵌め込み部２２とは一体成形品であってもよく、複数の部材を一体に組み付けたものでもよい。この例で、第１嵌め込み部２１と第２嵌め込み部２２は共に合板で作られており、第１嵌め込み部２１の長さは木質パネル１０の一辺の長さＳよりやや短く、横幅は雌実１４の深さａの２倍と同じかそれよりもやや狭く、厚さは雌実１４の溝幅ｂと同じかそれよりもやや薄い。また、第２嵌め込み部２２の長さは１辺の長さＳの１／２程度であり、横幅は第１嵌め込み部２１の横幅と同じであり、厚さも第１嵌め込み部２１の厚さと同じである。
【００１７】
施工に際しては、図１、図２に示すように、一枚の木質パネル１０Ａを床下地材の上に置き、必要な場合には接着剤により固定する。そして、その木質パネル１０Ａの１つの辺に形成した雌実１４ａに第１嵌め込み部２１が、また、交差する辺に形成した雌実１４ｂに第２嵌め込み部２２が入り込むようにして、実接合部材２０を木質パネル１０Ａに取り付ける。次に、取り付けた実接合部材２０に対して、同様にして隣接する木質パネル１０Ｂを取り付ける。この状態で、隣接する２枚の木質パネル１０Ａ、１０Ｂは、対向する辺同士が第１嵌め込み部２１により一体に連結され、直線上に位置する交差する２つの辺が第２嵌め込み部２２により一体に連結された形で、接合される。すなわち、隣接する２枚の木質パネル１０Ａ、１０Ｂは、交差する２辺を１つの実接合部材２０で接合された状態となり、接合部に高い剛性が得られ、かつ、その接合状態は安定する。
【００１８】
次に、第２嵌め込み部２２の飛び出している部分に、もう一枚の木質パネル１０Ｃの一辺に形成した雌実１４ｂを嵌め込む。この状態が図２ａに示される。このようにして、３枚の木質パネル１０Ａ、１０Ｂ、１０Ｃを１つの実接合部材２０でもって安定的に接合することができる。これを１つの床材ユニット３０として多数用意し、施工現場でこの床材ユニット３０を実接合部材２０を用いて必要個数だけ接合して、木質床とするようにしてもよい。接合目地が互い違いとなった意匠性の高い木質床が得られる。必要な場合には、接着剤を用いて、木質パネル１０と実接合部材２０とを一体に接合してもよい。
【００１９】
図３は同じ実接合部材２０を用いた他の接合態様を示している。この場合には、接合目地が碁盤目状となった床材ユニット３０Ａとなっているが、この場合も、同じ実接合部材２０を用いて、縦横の両方向に任意の数だけ木質パネル１０を接合していくことができる。なお、図示のように、本発明で用いる木質パネル１０は４辺のすべてに雌実１４が形成されていることが作業時に方向性を考慮することなく接合作業を行えるので好ましい。しかし、少なくとも交差する２辺に雌実１４が形成されていれば、作業の仕方によっては、上記の実接合部材２０を用いて、所期の目的を達成することができる。特に、最も外周に位置することとなる木質パネルで（例えば、図３での木質パネル１０Ｅ等）は、その外側縁となる辺部分に雌実を形成することは不要となる。
【００２０】
図４は実接合部材の他の形態を示す。図４ａの実接合部材２０Ａは、第１嵌め込み部２１の一方側に、複数本（図では３本）の第２嵌め込み部２２が互いに平行に、かつ、第１嵌め込み部２１と直交するようにして設けてある。それぞれの横幅や厚みは図１に示した実接合部材２０の場合と同じである。また、隣接する第２嵌め込み部２２の中心間の距離は木質パネル１０の一辺の長さＳと同じとされ、各第２嵌め込み部２２の長さは木質パネル１０の一辺の長さＳよりもやや短くされている。また、図示のものでは、上端では第１嵌め込み部２１の突出はなく、下端側でのみ突出しているが、これは、実接合部材２０Ａが使用される環境によって、より強固な接合を得る目的から適宜選択されるものであり、両端が突出のない形状でもよく、両端が突出した形状でもよい。
【００２１】
図５は、図４ａに示す実接合部材２０Ａを用いて床材ユニット３０Ａを形成した一例を示している。図示のように、平行に位置する２つの第２嵌め込み部２２の間に差し込まれた木質パネル１０は、その３辺に形成した雌実１４において実接合部材２０Ａと連結した状態となり、接合強度は一層安定しかつ強固となる。剛性も向上する。また、図示のように、実接合部材２０Ａを向きを変えて配置することにより、連続して多くの枚数の木質パネル１０を強固に接合することができる。なお、直交する２辺の長さが異なる（例えば、一辺がＳであり、他辺がＳａである）平面視長方形状の木質パネル（不図示）を木質パネル１０と共に用いて意匠性の高い床材ユニットを作るような場合には、１つの実接合部材２０Ａにおいて、第２嵌め込み部２２間の間隔を距離Ｓと距離Ｓａの２つとしておくことにより、容易に対処することができる。
【００２２】
図４ｂは実接合部材のさらに他の形態を示す。この実接合部材２０Ｂは、第１嵌め込み部２１の両側に第２嵌め込み部２２を設けた点で、図４ａに示した実接合部材２０Ａと相違している。図６は、図４ｂに示す実接合部材２０Ｂを用いて床材ユニット３０Ｂを形成した一例を示している。図示のように、この実接合部材２０Ｂでは実接合部材２０Ａと比較して２倍の木質パネル１０を１つの実接合部材を用いて安定して固定できる利点がある。なお、図示のものでは、左右の第２嵌め込み部２２は対称位置に設けてあるが、位相をずらして配置することもできる。その場合、左右の木質パネルの接合目地がずれるようになり、成形される床材ユニットの外観意匠性が向上する。また、左右の第２嵌め込み部２２を異なるビッチおよび長さのものとして、左右に異なる大きさの木質パネルを嵌め込むようにしてもよい。
【００２３】
図４ｃは実接合部材のさらに他の形態を示す。この実接合部材２０Ｃは、第１嵌め込み部２１の上下両端に第２嵌め込み部２２を設け、ほぼＨ字状となっている。図７は、図４ｃに示す実接合部材２０Ｃを用いて床材ユニット３０Ｃを形成した一例を示している。この場合も、図示のように、実接合部材２０Ｃを向きを変えて配置することにより、連続して多くの枚数の木質パネル１０を強固に接合することができる。
【００２４】
なお、図示の例では、図１および図４に示した形態の実接合部材２０、２０Ａ、２０Ｂ、２０Ｃを単独で用いて多数枚の木質パネル１０を接合した例を示したが、それらを適宜組み合わせて複数個を用いることにより、多数枚の木質パネルをより強固に接合した床材ユニットを容易に構築できることは、説明を要しない。さらに、図示した実接合部材は本発明による実接合部材のいくつかの例にすぎず、要は、第１嵌め込み部とそれに交差する第２嵌め込み部とを有し隣接する少なくとも２枚の木質パネルの双方の前記交差する２辺の雌実に同時に嵌り合って双方の木質パネルを接合することのできる形態であればよく、図示のものに限定されるものではない。木質パネルが平面視正方形状のものに限らないことも、前述したとおりである。
【００２５】
図８は実接合部材を用いて接合された木質パネルの他の例の断面を示す図２ｂに相当する図である。図８ａでは、木質パネル１０の周囲に形成される雌実１４の入口側が外広がりのテーパ面１５とされている。このようなテーパ面１５とすることにより、実接合部材２０と木質パネル１０の組み付けを容易化することができる。図示しないが、実接合部材側をテーパ面としてもよい。図８ｂはさらに他の例を示しており、ここでは、雌実１４の断面の大きさよりも、実接合部材２０を構成する第１嵌め込み部２１と第２嵌め込み部２２の断面の大きさがやや小さくなっている。このようにすることにより、実接合部材２０と木質パネル１０の組み付けが容易となると共に、実接合部材２０を木質繊維板のように吸湿による寸法変化の大きな材料で作る場合に、実接合部材２０の膨張を両者の隙間１６で吸収することができ、木質パネル１０の接合部近傍に膨れが生じるのを効果的に抑止できるメリットがある。
【００２６】
【発明の効果】
本発明による床材ユニットでは、雄実のない木質パネルを用いるので、木質パネルの製造を簡略化することができる。また、素材の歩留まりも向上する。隣接する木質パネルは交差する２方の雌実部分が１つの実接合部材により連結した状態で接合されるので、強固な接合が得られ、床材ユニットの剛性は向上し、安定性も高くなる。また、接合は木質パネルの雌実に実接合部材を単に差し込むだけでよく、接着工程や釘打ち作業を省略できるので、床材ユニットおよび木質床の構築作業を大幅に簡素化できる。また、特定場所の木質パネルを交換することも容易に行うことができる。
【図面の簡単な説明】
【図１】床材ユニットを構成する木質パネルと実接合部材の一例を示す図。
【図２】図２ａは３枚の木質パネルを１つの実接合部材で接合した床材ユニットを示す平面図、図２ｂは図２ａのｂ−ｂ線での断面図。
【図３】床材ユニットの他の態様を示す平面図。
【図４】実接合部材の他の形態を示す図。
【図５】図４ａに示す実接合部材を用いて形成した床材ユニットの一例を示す図。
【図６】図４ｂに示す実接合部材を用いて形成した床材ユニットの一例を示す図。
【図７】図４ｃに示す実接合部材を用いて形成した床材ユニットの一例を示す図。
【図８】実接合部材を用いて接合された木質パネルの他の例の断面を示す図２ｂに相当する図。
【符号の説明】
１０…木質パネル、１１…合板基材、１２…化粧材、１３…緩衝シート、１４…雌実、２０…実結合部材、２１…第１嵌め込み部、２２…第２嵌め込み部、３０…床材ユニット
【図１】
2005023557.tif 000003
【図２】
2005023557.tif 000004
【図３】
2005023557.tif 000005
【図４】
2005023557.tif 000006
【図５】
2005023557.tif 000007
【図６】
2005023557.tif 000008
【図７】
2005023557.tif 000009
【図８】
2005023557.tif 000010